(57)【要約】【課題】所望の商品の購入機会を逸することなく、所望の移動経路に従って無駄なく移動することができる商品情報案内装置及び案内方法を提供する。【解決手段】移動体の移動経路上の各店舗で販売されている商品に係る商品情報を案内する商品情報案内装置１０において、前記各店舗の前記商品情報を取得する商品情報取得部１５と、取得した前記商品情報を案内する商品情報案内部１３と、案内された前記商品情報に基づき、所望の前記商品を選択する商品選択部１２と、前記商品情報に基づき、選択された前記商品を販売している前記移動経路上の前記店舗を通知する店舗通知部１３と、を備える。【選択図】図１
2013007715.tif 000002
【特許請求の範囲】
【請求項１】
移動体の移動経路上の各店舗で販売されている商品に係る商品情報を案内する商品情報案内装置において、
前記各店舗の前記商品情報を取得する商品情報取得部と、
取得した前記商品情報を案内する商品情報案内部と、
案内された前記商品情報に基づき、所望の前記商品を選択する商品選択部と、
前記商品情報に基づき、選択された前記商品を販売している前記移動経路上の前記店舗を通知する店舗通知部と、
を備えることを特徴とする商品情報案内装置。
【請求項２】
地図情報に基づき、前記移動体の前記移動経路を探索する経路探索部を備えることを特徴とする請求項１記載の商品情報案内装置。
【請求項３】
前記各店舗の前記商品情報を記憶する商品情報記憶部を備え、前記商品情報取得部は、前記商品情報記憶部から前記商品情報を取得することを特徴とする請求項１又は２記載の商品情報案内装置。
【請求項４】
前記商品情報取得部は、前記各店舗の前記商品情報を蓄積する商品情報蓄積サーバから前記商品情報を取得する通信部であることを特徴とする請求項１又は２記載の商品情報案内装置。
【請求項５】
前記商品情報案内装置は、車載型ナビゲーション装置であることを特徴とする請求項１〜４のいずれか１項に記載の商品情報案内装置。
【請求項６】
前記商品情報案内装置は、携帯型ナビゲーション装置であることを特徴とする請求項１〜４のいずれか１項に記載の商品情報案内装置。
【請求項７】
前記商品情報案内装置は、道路サービス施設に設置されることを特徴とする請求項１〜４のいずれか１項に記載の商品情報案内装置。
【請求項８】
移動体の移動経路上の各店舗で販売されている商品に係る商品情報を案内する商品情報案内方法において、
前記各店舗の前記商品情報を取得するステップと、
取得した前記商品情報を案内するステップと、
案内された前記商品情報に基づき、所望の前記商品を選択するステップと、
前記商品情報に基づき、選択された前記商品を販売している前記移動経路上の前記店舗を通知するステップと、
を有することを特徴とする商品情報案内方法。
【請求項９】
地図情報に基づき、前記移動体の前記移動経路を探索するステップを有し、探索された前記移動経路上の前記店舗を通知することを特徴とする請求項８記載の商品情報案内方法。
【発明の詳細な説明】
【技術分野】
【０００１】
本発明は、商品情報案内装置及び案内方法に関するものであり、特に、移動体の移動経路上の各店舗で販売されている商品に係る商品情報を案内する商品情報案内装置及び案内方法に関するものである。
【背景技術】
【０００２】
例えば、車を利用して観光地に旅行する場合、移動経路の途中にあるサービスエリア（ＳＡ）やパーキングエリア（ＰＡ）、あるいは、道の駅等に立ち寄り、地元の特産品等のお土産を購入したい要望がある。
【０００３】
このような要望に対応可能なものとして、下記の特許文献１（特開２０１０−１９０８６３号公報）では、車両に搭載されたナビゲーション装置を利用して、ユーザが希望する商品を購入可能な小売店に立ち寄ることができ、移動経路を案内するナビゲーション装置及びナビゲーション方法を開示している。
【０００４】
この特許文献１では、ナビゲーション装置から、車両の現在位置及び購入を希望する商品名を小売店情報提供装置に送信する。小売店情報提供装置は、車両の現在位置の付近にある当該商品を購入可能な小売店を特定し、その店舗名及び店舗位置に係る情報をナビゲーション装置に送信する。これらの情報を受信したナビゲーション装置は、現在位置から目的地に至る複数の移動経路を探索し、各移動経路上で購入可能な希望商品名を移動経路とともに表示する。そして、ユーザは、表示された複数の移動経路から、所望の商品を購入するための経路を選択することができる。
【０００５】
また、下記特許文献２（特開２００６−９０８２１号公報）では、車両の現在位置及び目的地に従って誘導経路を探索する一方、所望のお土産を購入することのできる販売店を検索し、検索された販売店から、ユーザが選択した販売店を経由地とする誘導経路を、探索された誘導経路から変更して案内することのできるナビゲーション装置を開示している。
【先行技術文献】
【特許文献】
【０００６】
【特許文献１】特開２０１０−１９０８６３号公報（段落［０１１７］、［０１１９］、［０１２８］、［０１３１］、［０１３７］〜［０１３９］）
【特許文献２】特開２００６−９０８２１号公報（段落［００３４］、［００４０］〜［００４３］）
【発明の概要】
【発明が解決しようとする課題】
【０００７】
しかしながら、上記特許文献１及び２では、所望のお土産を購入するため、移動経路を選択し、又は、誘導経路を変更している。従って、車両の経路は、お土産を扱う小売店又は販売店を優先して設定されるため、無駄な走行時間や走行距離が発生するおそれがある。
【０００８】
また、ユーザが高速道路を走行している場合には、立ち寄ったサービスエリアやパーキングエリアで興味を持ったお土産品が、次のサービスエリアやパーキングエリアでも購入できるものと考えていたところ、次のサービスエリアやパーキングエリアでは販売されておらず、購入機会を逸するという問題点もあった。
【０００９】
本発明は、上記の問題点を解消することを課題とするものであり、所望の商品の購入機会を逸することなく、所望の移動経路に従って無駄なく移動することができる商品情報案内装置及び案内方法を提供することを目的とするものである。
【課題を解決するための手段】
【００１０】
前記課題を解決するために、本願の請求項１にかかる発明は、
移動体の移動経路上の各店舗で販売されている商品に係る商品情報を案内する商品情報案内装置において、前記各店舗の前記商品情報を取得する商品情報取得部と、取得した前記商品情報を案内する商品情報案内部と、案内された前記商品情報に基づき、所望の前記商品を選択する商品選択部と、前記商品情報に基づき、選択された前記商品を販売している前記移動経路上の前記店舗を通知する店舗通知部と、を備えることを特徴とする。
【００１１】
本願の請求項２に係る発明は、請求項１に係る商品情報案内装置において、地図情報に基づき、前記移動体の前記移動経路を探索する経路探索部を備えることを特徴とする。
【００１２】
本願の請求項３に係る発明は、請求項１又は２に係る商品情報案内装置において、前記各店舗の前記商品情報を記憶する商品情報記憶部を備え、前記商品情報取得部は、前記商品情報記憶部から前記商品情報を取得することを特徴とする。
【００１３】
本願の請求項４に係る発明は、請求項１又は２に係る商品情報案内装置において、前記商品情報取得部は、前記各店舗の前記商品情報を蓄積する商品情報蓄積サーバから前記商品情報を取得する通信部であることを特徴とする。
【００１４】
本願の請求項５に係る発明は、請求項１〜４のいずれか１項に係る商品情報案内装置において、前記商品情報案内装置は、車載型ナビゲーション装置であることを特徴とする。
【００１５】
本願の請求項６に係る発明は、請求項１〜４のいずれか１項に係る商品情報案内装置において、前記商品情報案内装置は、携帯型ナビゲーション装置であることを特徴とする。
【００１６】
本願の請求項７に係る発明は、請求項１〜４のいずれか１項に係る商品情報案内装置において、前記商品情報案内装置は、道路サービス施設に設置されることを特徴とする。
【００１７】
本願の請求項８に係る発明は、移動体の移動経路上の各店舗で販売されている商品に係る商品情報を案内する商品情報案内方法において、前記各店舗の前記商品情報を取得するステップと、取得した前記商品情報を案内するステップと、案内された前記商品情報に基づき、所望の前記商品を選択するステップと、前記商品情報に基づき、選択された前記商品を販売している前記移動経路上の前記店舗を通知するステップと、を有することを特徴とする。
【００１８】
本願の請求項９に係る発明は、請求項８に係る商品情報案内方法において、地図情報に基づき、前記移動体の前記移動経路を探索するステップを有し、探索された前記移動経路上の前記店舗を通知することを特徴とする。
【発明の効果】
【００１９】
請求項１にかかる発明においては、移動体の移動経路上の各店舗で販売されている商品に係る商品情報を案内する商品情報案内装置において、前記各店舗の前記商品情報を取得する商品情報取得部と、取得した前記商品情報を案内する商品情報案内部と、案内された前記商品情報に基づき、所望の前記商品を選択する商品選択部と、前記商品情報に基づき、選択された前記商品を販売している前記移動経路上の前記店舗を通知する店舗通知部と、を備える。
【００２０】
このように構成することにより、所望の商品を販売している移動経路上の店舗を知ることができるため、ユーザは、当該商品を確実に購入することができる。
また、移動経路を変更することなく、所望の商品を購入できるため、所望の移動経路に従って無駄なく移動することができる。
【００２１】
請求項２に係る発明においては、請求項１に係る商品情報案内装置において、ユーザの所望の移動経路を探索し、その移動経路上の店舗で所望の商品を購入することができる。
【００２２】
請求項３に係る発明においては、請求項１又は２に係る商品情報案内装置において、商品情報記憶部から各店舗の商品情報を取得し、所望の商品を購入できる店舗を知ることができる。
【００２３】
請求項４に係る発明においては、請求項１又は２に係る商品情報案内装置において、商品情報は、商品情報案内装置に通信部を介して接続される商品情報蓄積サーバから取得することができる。
【００２４】
請求項５に係る発明においては、請求項１〜４のいずれか１項に係る商品情報案内装置において、商品情報案内装置を車載型ナビゲーション装置とすることにより、車両により移動する際、所望の商品を購入できるとともに、所望の移動経路に従って無駄なく移動することができる。
【００２５】
請求項６に係る発明においては、請求項１〜４のいずれか１項に係る商品情報案内装置において、商品情報案内装置を携帯型ナビゲーション装置とすることにより、例えば、当該ナビゲーション装置を所持する歩行者が、所望の商品を購入できるとともに、所望の移動経路に従って無駄なく移動することができる。
【００２６】
請求項７に係る発明においては、請求項１〜４のいずれか１項に係る商品情報案内装置において、商品情報案内装置を道路サービス施設に設置することにより、サービスエリア等の道路サービス施設で所望の商品を購入することができる。
【００２７】
請求項８に係る発明においては、請求項１に係る商品情報案内装置における案内方法を提供することができる。
【００２８】
請求項９に係る発明においては、請求項８に係る商品情報案内方法において、ユーザの所望の移動経路を探索し、その移動経路上の店舗で所望の商品を購入することができる。
【図面の簡単な説明】
【００２９】
【図１】本発明の第１実施例であるサービスエリアに設置される商品情報案内装置の構成ブロック図である。
【図２】本発明の第１実施例である商品情報案内装置による処理フローチャートである。
【図３】本発明の第１実施例の商品情報案内装置及び第２実施例のナビゲーション装置で表示される案内画面の説明図である。
【図４】本発明の第２実施例である車両に搭載されるナビゲーション装置の構成ブロック図である。
【図５】本発明の第２実施例であるナビゲーション装置による処理フローチャートである。
【図６】本発明の第２実施例であるナビゲーション装置により探索される移動経路及び移動経路上のサービスエリアの説明図である。
【発明を実施するための形態】
【００３０】
以下、本発明の具体例を実施例及び図面を用いて詳細に説明する。但し、以下に示す実施形態は、本発明の技術的思想を具体化するための商品情報案内装置及び案内方法を例示するものであって、本発明をこの商品情報案内装置及び案内方法に特定することを意図するものではなく、特許請求の範囲に含まれるその他の実施形態の商品情報案内装置及び案内方法にも等しく適応し得るものである。
【実施例１】
【００３１】
図１は、例えば、高速道路等のサービスエリア（以下、ＳＡと言う。）に設置され、各ＳＡ（現在立ち寄っているＳＡ及び該ＳＡの前後に位置するＳＡ等、車両の移動経路上に存在するＳＡ）で販売されている商品に係る商品情報を案内する、本発明の第１実施例である商品情報案内装置１０の構成ブロック図である。なお、商品情報案内装置１０は、パーキングエリア（ＰＡ）や道の駅等の道路サービス施設に設置されるものであってもよい。
【００３２】
商品情報案内装置１０は、制御部１１、操作部１２（商品選択部）、出力部１３（商品情報案内部、商品選択部、店舗通知部）、商品情報記憶部１４及び通信部１５（商品情報取得部）を備えて構成される。
【００３３】
制御部１１は、ＣＰＵ１６（商品情報取得部）、ＲＡＭ１７及びＲＯＭ１８を備え、ＲＡＭ１７及び／又はＲＯＭ１８に記憶された制御プログラムをＣＰＵ１６が実行することにより、下記に説明する商品情報案内装置１０の各部の動作を制御・統括する。
【００３４】
操作部１２は、ユーザが後述する商品情報の表示指示や、商品を選択するための入力操作を行う手段である。
【００３５】
出力部１３は、各ＳＡで販売されている商品の名称、価格、販売しているＳＡ名等の商品情報を画面に表示し、必要に応じて音声で通知する手段であり、出力部１３は、例えば、液晶パネル及びスピーカにより構成することができる。
【００３６】
また、出力部１３にタッチパネルを加える構成とすることで、操作部１２としての機能を持たせることもできる。この場合、ユーザは、出力部１３としての液晶パネルに表示された各種操作アイコンをタッチすることで所望の入力操作を行うことができる。
商品情報記憶部１４には、各ＳＡで販売されている商品に係る前記商品情報が記憶されている。
【００３７】
通信部１５は、ネットワーク、電話回線等の通信網１９を介して外部の商品情報蓄積サーバ２０に接続され、商品情報蓄積サーバ２０に蓄積されている最新の商品情報を取得する手段である。商品情報蓄積サーバ２０は、各ＳＡで販売されている最新の商品情報を蓄積している。
【００３８】
第１実施例の商品情報案内装置１０は、基本的には以上のように構成される。
【００３９】
次に、図２に示す処理フローチャートに従い、商品情報案内装置１０の動作について説明する。
【００４０】
例えば、高速道路を車両で移動しているユーザがＳＡに立ち寄り、ＳＡに設置されている商品情報案内装置１０を利用して、お土産等の商品案内を要求するものとする。
【００４１】
このとき、ユーザが商品情報案内装置１０の操作部１２を操作し、商品情報の表示を指示すると（ステップＳ１０１：ＹＥＳ）、制御部１１のＣＰＵ１６は、商品情報記憶部１４に記憶されている商品情報を読み出し、出力部１３に図３に示す表示画面２１を表示する（ステップＳ１０２）。
【００４２】
なお、商品情報記憶部１４から読み込まれる商品情報は、現在立ち寄っているＳＡ（以下、現在ＳＡ）で購入できる商品に係る商品情報と、現在ＳＡの前後に位置するＳＡ（以下、他のＳＡ）を含む車両の移動経路上に位置するＳＡで購入できる商品に係る商品情報とを含む。読み込まれた商品情報のうち、出力部１３の表示画面２１に表示される商品情報としては、現在ＳＡの商品情報であるものとして以下説明を行う。
【００４３】
出力部１３の表示画面２１には、現在ＳＡの名称欄２２、ユーザが選択する商品を分類表示した商品選択欄２３〜２５、表示画面２１を切り替える切替ボタン２６、２７、ユーザが選択した商品を決定する決定ボタン２８、決定した商品が他のＳＡでも購入可能か否かを通知する購入可否通知欄２９が表示される。
【００４４】
なお、商品選択欄２３〜２５、切替ボタン２６、２７及び決定ボタン２８は、ユーザがタッチすることで、その商品や機能を選択できるタッチパネルであるが、キーボードや操作ボタンであってもよい。
【００４５】
そこで、ユーザは、表示画面２１の商品選択欄２３〜２５に表示されている商品の中から、所望の商品を選択する。
【００４６】
なお、現在表示されている表示画面２１に所望の商品が見つからない場合には、切替ボタン２６、２７を操作して表示画面２１を切り替え、他の商品選択欄２３〜２５を表示させることができる。
【００４７】
ユーザが所望の商品を選択すると（ステップＳ１０３：ＹＥＳ）、ＣＰＵ１６は、選択された商品に係る商品情報に基づき、当該商品を他のＳＡでも購入可能か、又は、現在のＳＡでのみ当該商品が購入可能か否かを判定する（ステップＳ１０４）。
【００４８】
ステップＳ１０４において、他のＳＡでも当該商品を購入可能であると判定された場合（ステップＳ１０４：ＹＥＳ）、ＣＰＵ１６は、表示画面２１の購入可否通知欄２９に、当該商品を購入可能な他のＳＡの名称とともに、例えば、「選択された商品は、△△サービスエリアでも購入可能です」といった通知を表示する（ステップＳ１０５）。なお、通知の表示とともに、音声による通知を行うようにしてもよい。
【００４９】
一方、ステップＳ１０４において、現在のＳＡでのみ当該商品を購入可能であると判定された場合（ステップＳ１０４：ＮＯ）、ＣＰＵ１６は、表示画面２１の購入可否通知欄２９に、例えば、「選択された商品は、本サービスエリアでしか購入できません」といった通知を表示する（ステップＳ１０６）。
【００５０】
なお、ユーザが商品情報の表示指示を行わない場合（ステップＳ１０１：ＮＯ）、又は、ユーザが商品を選択しない場合であって（ステップＳ１０３：ＮＯ）、商品情報案内装置１０の電源がＯＦＦになると、処理が終了する。
【００５１】
また、商品情報案内装置１０の電源がＯＦＦにされない場合（ステップＳ１０７：ＮＯ）には、ステップＳ１０１における指示を待機する状態となる。
【００５２】
このように、ユーザが選択した商品を購入可能なＳＡを商品情報案内装置１０で案内させることにより、所望の商品をユーザの移動経路上の他のＳＡでも購入可能である場合、例えば、現在のＳＡではトイレ休憩のみとし、次のＳＡで商品の購入及び長時間の休憩をとる、といった柔軟な選択が可能となる。
【００５３】
また、所望の商品が現在のＳＡでのみ購入可能な場合には、その案内に従って現在のＳＡで商品を購入することにより、所望の商品の購入機会を逸してしまうおそれはない。
【００５４】
なお、実施例１の商品情報案内装置１０において、ユーザにより入力された目的地までの経路探索が行われ、探索された経路に基づく経路案内が行われている場合、他のＳＡとは、車両の現在位置よりも目的地方向に向かって前方に位置するＳＡであり、且つ、探索された経路上にあるＳＡを指すものとする。
【００５５】
このようにすれば、例えば高速道路において、ユーザが高速道路から降りる地点までの間の店舗を対象に案内が可能になり、所望の商品の購入機会を逸することがなくなる。
また、高速道路を降りる予定の地点より先に存在する店舗の案内がないため、ユーザにとっても、わかり易い案内になる。
【実施例２】
【００５６】
図４は、本発明の第２実施例である車両に搭載されるナビゲーション装置３０の構成ブロック図である。なお、ナビゲーション装置３０は、歩行者等のユーザが携帯して移動経路を探索できるポータブル型のナビゲーション装置（ＰＮＤ：Ｐｏｒｔａｂｌｅ  Ｎａｖｉｇａｔｉｏｎ  Ｄｅｖｉｃｅ）であってもよい。
【００５７】
ナビゲーション装置３０は、制御部３１、操作部３２（商品選択部）、出力部３３（商品情報案内部、商品選択部、店舗通知部）、商品情報記憶部３４、通信部３５（商品情報取得部）、ＧＰＳ受信部３６、自律航法センサ３７、地図情報記憶部３８及び経路探索部３９を備えて構成される。
【００５８】
制御部３１は、ＣＰＵ４０（商品情報取得部）、ＲＡＭ４１及びＲＯＭ４２を備え、ＲＡＭ４１及び／又はＲＯＭ４２に記憶された制御プログラムをＣＰＵ４０が実行することにより、下記に説明するナビゲーション装置３０の各部の動作を制御・統括する。
【００５９】
操作部３２は、移動経路を探索するため、ユーザが出発地、目的地、経由地等の入力操作を行う手段であり、また、商品情報案内装置１０と同様に、商品情報の表示指示や、商品を選択するための入力操作を行う手段である。
【００６０】
出力部３３は、地図画像とともに探索された車両の移動経路を表示し、また、ＳＡ、ＰＡ、道の駅等の道路サービス施設で販売されている商品の名称、価格、販売しているＳＡ名等の商品情報を画面に表示し、必要に応じて音声で通知する手段である。
【００６１】
出力部３３は、例えば、液晶パネルにより構成することができる。
【００６２】
また、出力部３３にタッチパネルを加える構成とすることで、操作部１２としての機能を持たせることもできる。この場合、ユーザは、出力部１３としての液晶パネルに表示された各種操作アイコンをタッチすることで所望の入力操作を行うことができる。
【００６３】
商品情報記憶部３４には、各ＳＡで販売されている商品に係る前記商品情報が記憶されている。
【００６４】
なお、商品情報は、商品情報案内装置１０と同様に、通信部３５及び通信網１９を介して、外部の商品情報蓄積サーバ２０から最新の商品情報を取得し、商品情報記憶部３４に記憶させることができる。
【００６５】
ＧＰＳ受信部３６は、所定の時間間隔で地球上空を周回している複数のＧＰＳ衛星から時刻情報を含む電波（衛星信号）を受信する。
【００６６】
制御部３１は、受信した衛星信号に基づき、ナビゲーション装置３０を搭載した車両の現在位置、又は、ナビゲーション装置３０を携帯する歩行者等の現在位置を算出する。
【００６７】
自律航法センサ３７は、加速度を検出する加速度センサ、角速度を検出するジャイロセンサ等の自律航法手段であり、ＧＰＳ受信部３６により受信した衛星信号に基づいて算出された車両や歩行者等の現在位置を補完するための手段である。
【００６８】
地図情報記憶部３８は、移動経路を探索するための道路データ、建物データ、背景データ、テキストデータから構成される地図情報を記憶する。
なお、地図情報は、商品情報と同様に、通信部３５を介して外部の情報提供サーバ（図示せず）から取得し、最新の地図情報として地図情報記憶部３８に記憶させるようにしてもよい。
【００６９】
道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標（緯度・経度）、交差点情報や交差点名称を示す情報等のノード属性、さらに接続リンク本数、接続リンク番号のデータを含んで構成される。
【００７０】
リンクデータは、リンクの始点及び終点となるノード番号、高速道路や一般道や街路等を区別するための道路種別、ノード間の距離及び／又は所要時間、国道○号線のような道路名称のデータを含んで構成される。
リンクデータには、上記に加えて、リンク属性として橋、トンネル、踏切、料金所等のデータが付与される。
【００７１】
建物データは、建物の少なくとも３点からなる位置座標（緯度・経度）、ＳＡ、ＰＡ、道の駅、鉄道駅、ビル、民家等の建物の種別、表示色のデータを含んで構成される。
また背景データは、海岸線、湖沼、河川形状、山林等の背景画像データとなる少なくとも３点からなる位置座標（緯度・経度）、表示色のデータを含んで構成される。
【００７２】
テキストデータは、それぞれの地名や河川名等の文字（名称）、及びその座標（緯度・経度）のデータを含んで構成される。
【００７３】
経路探索部３９は、地図情報記憶部３８に記憶された地図情報と、算出された車両等の現在位置、又は、操作部３２から入力された出発地とに基づき、現在位置又は出発地から目的地までの最適な移動経路を探索する。
【００７４】
経路探索部３９は、現在位置又は出発地に対応する道路のノードから、目的位置に対応するノードに至るまでのリンクをダイクストラ法等の手法によって探索し、リンク長（リンクコスト）や所要時間を累積し、総リンク長（走行距離）又は総所要時間が最短となる経路を移動経路として探索する。
【００７５】
第２実施例のナビゲーション装置３０は、基本的には以上のように構成される。
【００７６】
次に、図５に示す処理フローチャートに従い、ナビゲーション装置３０の動作について説明する。なお、以下、高速道路を走行中の車両に搭載されているナビゲーション装置３０を操作し、当該車両の移動経路上のＳＡで所望の商品を購入するものとして説明する。
【００７７】
ユーザは、操作部３２を操作し、目的地及び経由地、必要に応じて出発地を入力することで、ナビゲーション装置３０に対して移動経路の探索を指示する。
【００７８】
ナビゲーション装置３０の制御部３１は、経路探索の指示を受け付けると、経路探索部３９に対して移動経路の探索を指示し、経路探索部３９により移動経路が探索されると、該移動経路に基づき経路案内を開始する。
【００７９】
経路探索部３９は、地図情報記憶部３８に記憶されている地図情報と、入力された目的地、経由地、出発地又は現在位置とに基づき、移動経路を探索する（ステップＳ２０１）。
探索された移動経路は、車両の現在位置とともに、出力部３３に表示される。
【００８０】
なお、車両の現在位置は、ＧＰＳ受信部３６により受信したＧＰＳ信号と、自律航法センサ３７により検出した加速度や角速度の信号とに基づいて算出される。
【００８１】
そして、ドライバは、表示された探索経路に従い、所望の目的地まで移動することができる。
【００８２】
図６は、出力部３３に表示されている地図情報である道路４３と、車両４４の現在位置と、探索された移動経路４５と、道路４３上のサービスエリアＳＡ１〜ＳＡ３（以下、ＳＡ１〜ＳＡ３と言う。）との位置関係を例示したものである。
【００８３】
この例では、車両４４は、現在ＳＡ１に停車しており、ＳＡ２を通過した後、ＳＡ３に向かうことなく、分岐路４６に沿って移動する移動経路４５が設定されている。
【００８４】
次に、ユーザがＳＡでお土産等を購入する目的で、ナビゲーション装置３０の操作部３２を操作し、商品情報の表示を指示すると（ステップＳ２０２：ＹＥＳ）、制御部３１のＣＰＵ４０は、商品情報記憶部３４に記憶されている商品情報の中、現在停車しているＳＡ１の商品情報を読み出し、出力部３３に図３に示す表示画面２１を表示する（ステップＳ２０３）。
【００８５】
そこで、ユーザは、商品情報案内装置１０の場合と同様にして、表示画面２１の商品選択欄２３〜２５に表示されている商品の中から、所望の商品を選択する。
【００８６】
なお、分岐路４６でなく、この地点が高速道路の出口であっても同様である。
【００８７】
ユーザが所望の商品を選択すると（ステップＳ２０４：ＹＥＳ）、ＣＰＵ４０は、選択された商品に係る商品情報に基づき、当該商品を他のＳＡ２でも購入可能か、又は、現在停車中のＳＡ１でのみ当該商品を購入可能かを判定する（ステップＳ２０５）。
【００８８】
ステップＳ２０５において、他のＳＡ２でも当該商品を購入可能であると判定された場合（ステップＳ２０５：ＹＥＳ）、ＣＰＵ４０は、表示画面２１の購入可否通知欄２９に、当該商品を購入可能な移動経路４５上の他のＳＡ２の名称とともに、例えば、「選択された商品は、△△サービスエリアでも購入可能です」といった通知を表示する（ステップＳ２０６）。
【００８９】
なお、通知の表示とともに、音声による通知を行うようにしてもよい。
【００９０】
一方、ステップＳ２０５において、現在のＳＡ１でのみ当該商品を購入可能であると判定された場合（ステップＳ２０５：ＮＯ）、ＣＰＵ４０は、表示画面２１の購入可否通知欄２９に、例えば、「選択された商品は、現在のサービスエリアでしか購入できません」といった通知を表示する（ステップＳ２０７）。
【００９１】
なお、ユーザが商品情報の表示指示を行わない場合（ステップＳ２０２：ＮＯ）、又は、ユーザが商品を選択しない場合であって（ステップＳ２０４：ＮＯ）、ナビゲーション装置３０の電源がＯＦＦになると、処理が終了する。
【００９２】
また、ナビゲーション装置３０の電源がＯＦＦにされない場合（ステップＳ２０８：ＮＯ）には、ステップＳ２０２における指示を待機する状態となる。
【００９３】
このように、ユーザが選択した商品を購入可能なＳＡをナビゲーション装置３０で案内させることにより、所望の商品をユーザの移動経路４５上の他のＳＡでも購入可能である場合、例えば、現在のＳＡ１ではトイレ休憩のみとし、次のＳＡ２で商品の購入及び長時間の休憩を採る、といった選択が可能となる。
【００９４】
また、所望の商品が現在のＳＡ１でのみ購入可能な場合には、前記の案内に従って、現在のＳＡ１で商品を購入することにより、所望の商品の購入機会を逸してしまうおそれはない。
【００９５】
なお、実施例１では、車両４４がＳＡ１に停車中であるとして説明したが、走行中であっても、同様にして所望の商品を購入可能なＳＡを案内することができる。
【００９６】
また、実施例１及び２では、出力部の表示画面に表示する商品情報は、現在ＳＡに係る商品情報として説明したが、これに限るものではなく、ユーザが選択したＳＡに係る商品情報等であっても構わない。
【符号の説明】
【００９７】
１０・・・商品情報案内装置
１１、３１・・・制御部
１２、３２・・・操作部
１３、３３・・・出力部
１４、３４・・・商品情報記憶部
２０・・・商品情報蓄積サーバ
３０・・・ナビゲーション装置
３６・・・ＧＰＳ受信部
３７・・・自律航法センサ
３８・・・地図情報記憶部
３９・・・経路探索部
４３・・・道路
４４・・・車両
４５・・・移動経路
ＳＡ１〜ＳＡ３・・・サービスエリア
【図１】
2013007715.tif 000003
【図２】
2013007715.tif 000004
【図３】
2013007715.tif 000005
【図４】
2013007715.tif 000006
【図５】
2013007715.tif 000007
【図６】
2013007715.tif 000008